【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
第１方向に並んだ第１画素電極および第２画素電極を含む画素電極と、
前記第１方向と交差した第２方向において前記第１画素電極および前記第２画素電極の一方側に配置した第１ゲート配線と、
前記第１画素電極および前記第２画素電極の他方側に配置した第２ゲート配線と、
前記第２方向に沿って延びたソース配線と、
前記第１ゲート配線から供給されるゲート信号により前記ソース配線と前記第１画素電極との接続を切り換える第１画素スイッチと、
前記第２ゲート配線から供給されるゲート信号により前記ソース配線と前記第２画素電極との接続を切り換える第２画素スイッチと、
絶縁層を介して、前記第1画素電極及び第2画素電極の一部と対向するとともに、前記各画素電極の端部に沿って蛇行して前記第１方向に延びた補助容量線と、を備えたアレイ基板と、
前記アレイ基板に対向した対向基板と、
前記アレイ基板と前記対向基板との間に保持された液晶層と、を備え、
前記ソース配線は、前記第１方向において前記各画素電極の両側に配置されるとともに共通の映像信号が供給される第１ソース配線および第２ソース配線と、を備え、
前記補助容量線は、前記第１画素スイッチ及び前記第２画素スイッチと対向するように延在している液晶表示装置。
【請求項２】
前記ソース配線は、前記画素電極の２列置きに配置されている請求項１記載の液晶表示装置。
【請求項３】
前記第１画素スイッチは前記第１ソース配線と前記画素電極との接続を切り換え、前記第２画素スイッチは前記第２ソース配線と前記画素電極との接続を切り換える請求項１記載の液晶表示装置。
【請求項４】
前記ソース配線は、列方向に並んだ前記画素電極間において前記第１ソース配線と前記第２ソース配線とを電気的に接続した接続部を更に備える請求項３記載の液晶表示装置。
【請求項５】
前記第１画素スイッチおよび前記第２画素スイッチは、行方向において前記画素電極の一方側に配置されるとともに、半導体層と、前記第１ゲート配線および前記第２ゲート配線から列方向に沿って延びて前記半導体層の下層に配置されたゲート電極と、前記半導体層の上層に配置されたドレイン電極と、を備え、
前記ドレイン電極は、前記行方向に沿って前記画素電極の下層と前記半導体層の上層との間に延びている請求項３又は請求項４記載の液晶表示装置。
【請求項６】
前記アレイ基板は、絶縁層を介して前記画素電極の一部と対向するとともに、前記画素電極の端部に沿って蛇行して行方向に延びた補助容量線を更に備える請求項１乃至請求項５のいずれか１項記載の液晶表示装置。
【請求項７】
第１方向に沿って延在し、前記第１方向と交差する第２方向に配置された第１ゲート配線と第２ゲート配線と、
前記第１及び第２ゲート配線と交差し、前記第１方向に配置された第１ソース配線と第２ソース配線と、
前記第１及び第２ゲート配線と前記第１及び第２ソース配線とで囲まれた領域に配置された第１画素電極と第２画素電極を含む画素電極と、
前記第１ゲート配線から供給されるゲート信号により前記第１ソース配線と前記第１画素電極との接続を切り換える第１画素スイッチと、
前記第２ゲート配線から供給されるゲート信号により前記第２ソース配線と前記第２画素電極との接続を切り換える第２画素スイッチと、
絶縁層を介して、前記前記第１画素電極及び第２画素電極の一部と対向するとともに、前記各画素電極の端部に沿って蛇行して前記第１方向に延びた補助容量線と、を備えたアレイ基板と、
前記アレイ基板と対向した対向基板と、
前記アレイ基板と前記対向基板との間に保持された液晶層と、を備え、
前記補助容量線は、前記第１画素スイッチ及び前記第２画素スイッチと対向するように延在している液晶表示装置。
【請求項８】
前記第１画素スイッチは、前記第１方向において前記第１画素電極の一方側に配置され、
前記第２画素スイッチは、前記第１方向において前記第１画素スイッチとは反対側に配置され、
前記第１画素スイッチ及び第２画素スイッチは、それぞれ、半導体層と、前記第１ゲート配線または前記第２ゲート配線から延びて前記半導体層の下層に配置されたゲート電極と、前記半導体層の上層に配置されたドレイン電極と、を備え、
前記ドレイン電極は、前記第１方向に沿って前記画素電極の下層と前記半導体層の上層との間に延びている請求項７記載の液晶表示装置。
【請求項９】
前記補助容量線は、前記各ソース配線と対向する箇所において、前記ソース配線の一部が露出するように環状になっている請求項７記載の液晶表示装置。
【請求項１０】
前記補助容量線は、前記各ソース配線と対向する箇所において、前記ソース配線を挟んだ二股形状になっている請求項７記載の液晶表示装置。
【手続補正２】
【補正対象書類名】明細書
【補正対象項目名】０００７
【補正方法】変更
【補正の内容】
【０００７】
実施形態によれば、第１方向に並んだ第１画素電極および第２画素電極を含む画素電極と、前記第１方向と交差した第２方向において前記第１画素電極および前記第２画素電極の一方側に配置した第１ゲート配線と、前記第１画素電極および前記第２画素電極の他方側に配置した第２ゲート配線と、前記第２方向に沿って延びたソース配線と、前記第１ゲート配線から供給されるゲート信号により前記ソース配線と前記第１画素電極との接続を切り換える第１画素スイッチと、前記第２ゲート配線から供給されるゲート信号により前記ソース配線と前記第２画素電極との接続を切り換える第２画素スイッチと、絶縁層を介して、前記第1画素電極及び第2画素電極の一部と対向するとともに、前記各画素電極の端部に沿って蛇行して前記第１方向に延びた補助容量線と、を備えたアレイ基板と、前記アレイ基板に対向した対向基板と、前記アレイ基板と前記対向基板との間に保持された液晶層と、を備え、前記ソース配線は、前記第１方向において前記各画素電極の両側に配置されるとともに共通の映像信号が供給される第１ソース配線および第２ソース配線と、を備え、前記補助容量線は、前記第１画素スイッチ及び前記第２画素スイッチと対向するように延在している液晶表示装置が提供される。
【手続補正３】
【補正対象書類名】明細書
【補正対象項目名】００７２
【補正方法】変更
【補正の内容】
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
［１］第１方向に並んだ第１画素電極および第２画素電極を含む画素電極と、前記第１方向と交差した第２方向において前記第１画素電極および前記第２画素電極の一方側に配置した第１ゲート配線と、前記第１画素電極および前記第２画素電極の他方側に配置した第２ゲート配線と、前記第２方向に沿って延びたソース配線と、前記第１ゲート配線から供給されるゲート信号により前記ソース配線と前記第１画素電極との接続を切り換える第１画素スイッチと、前記第２ゲート配線から供給されるゲート信号により前記ソース配線と前記第２画素電極との接続を切り換える第２画素スイッチと、を備えたアレイ基板と、
前記複数の画素電極と対向した対向電極を備えた対向基板と、
前記アレイ基板と前記対向基板との間に保持された液晶層と、を備えた液晶表示装置。
［２］前記ソース配線は、前記画素電極の２列置きに配置されている［１］記載の液晶表示装置。
［３］前記ソース配線は、行方向において前記画素電極の列の両側に配置されるとともに共通の映像信号が供給される第１ソース配線および第２ソース配線を備え、
前記第１画素スイッチは前記第１ソース配線と前記画素電極との接続を切り換え、前記第２画素スイッチは前記第２ソース配線と前記画素電極との接続を切り換える［１］記載の液晶表示装置。
［４］前記ソース配線は、列方向に並んだ前記画素電極間において前記第１ソース配線と前記第２ソース配線とを電気的に接続した接続部を更に備える［３］記載の液晶表示装置。
［５］前記第１画素スイッチおよび前記第２画素スイッチは、前記行方向において前記画素電極の一方側に配置されるとともに、半導体層と、前記第１ゲート配線および前記第２ゲート配線から列方向に沿って延びて前記半導体層の下層に配置されたゲート電極と、前記半導体層の上層に配置されたドレイン電極と、を備え、
前記ドレイン電極は、行方向に沿って前記画素電極の下層と前記半導体層の上層との間に延びている［３］又は［４］記載の液晶表示装置。
［６］前記アレイ基板は、絶縁層を介して前記画素電極の一部と対向するとともに、前記画素電極の端部に沿って蛇行して前記行方向に延びた補助容量線を更に備える［１］乃至［５］のいずれか１記載の液晶表示装置。